(57)【要約】【課題】  ドライブ装置の高さ寸法や奥行寸法に影響を与えることなく計算機のＩＯベイにドライブ装置を取り付けることができ、さらに、部材の共通化が可能な取付部材を提供する。【解決手段】  補助部材１００のドライブ取付側側面部１０１に設けるドライブ取付用ねじ穴１０８ａ、ドライブ取付用ねじ穴１０８ｂ、レール取付側側面部１０２に設けるレール取付用ねじ穴１０９ａとレール取付用ねじ穴１０９ｃ、レール取付用ねじ穴１０９ｂとレール取付用ねじ穴１０９ｄ、レール取付用ねじ穴１０９ｅとレール取付用ねじ穴１０９ｇ、レール取付用ねじ穴１０９ｆとレール取付用ねじ穴１０９ｈを、それぞれ左右対称に配置する。【選択図】      図４
2006079210.tif 000002
【特許請求の範囲】
【請求項１】
計算機のベイに拡張装置を収容するための取付部材において、
前記拡張装置の側面に取り付ける為に第１のねじ穴及び第２のねじ穴が形成された拡張装置側側面部と、
前記拡張装置側側面部と対向する、第３のねじ穴及び第４のねじ穴が形成された計算機側側面部とを備え、
前記拡張装置側側面部の奥行方向の一端部から前記第１のねじ穴までの距離は、前記拡張装置側側面部の奥行方向の他端部から前記第２のねじ穴までの距離に略一致し、
前記拡張装置側側面部の高さ方向の端部から前記第１のねじ穴までの距離は、その端部から前記第２のねじ穴までの距離に略一致し、
前記計算機側側面部の奥行方向の一端部から前記第３のねじ穴までの距離は、前記計算機側側面部の奥行方向の他端部から前記第４のねじ穴までの距離に略一致し、
前記計算機側側面部の高さ方向の端部から前記第３のねじ穴までの距離は、その端部から前記第４のねじ穴までの距離に略一致することを特徴とする取付部材。
【請求項２】
前記第３のねじ穴及び前記第４のねじ穴は、前記取付部材を前記計算機のベイに取り付ける為のレールを装着するために形成されることを特徴とする請求項１記載の取付部材。
【請求項３】
前記拡張装置は３．５インチドライブ装置であり、
前記計算機のベイは５インチドライブ装置を収容することを特徴とする請求項１又は請求項２記載の取付部材。
【請求項４】
取付部材を取り付けて計算機のベイに収容する拡張装置において、
第１のねじ穴が形成された第１の側面部と、
前記第１の側面部と対向する、第２のねじ穴が形成された第２の側面部とを備え、
前記第１の側面部の先端部から前記第１のねじ穴までの距離は、前記第２の側面部の先端部から前記第２のねじ穴までの距離に略一致し、
前記第１の側面部の下端部から前記第１のねじ穴までの距離は、前記第２の側面部の下端部から前記第２のねじ穴までの距離に略一致し、
前記取付部材は、
第３のねじ穴及び第４のねじ穴が形成された拡張装置側側面部と、
前記拡張装置側側面部と対向する、第５のねじ穴及び第６のねじ穴が形成された計算機側側面部とを備え、
前記拡張装置側側面部の奥行方向の一端部から前記第３のねじ穴までの距離は、前記拡張装置側側面部の奥行方向の他端部から前記第４のねじ穴までの距離に略一致し、
前記拡張装置側側面部の高さ方向の端部から前記第３のねじ穴までの距離は、その端部から前記第４のねじ穴までの距離に略一致し、
前記計算機側側面部の奥行方向の一端部から前記第５のねじ穴までの距離は、前記計算機側側面部の奥行方向の他端部から前記第６のねじ穴までの距離に略一致し、
前記計算機側側面部の高さ方向の端部から前記第５のねじ穴までの距離は、その端部から前記第６のねじ穴までの距離に略一致し、
前記拡張装置側側面部の第３のねじ穴及び第４のねじ穴の少なくとも一方を利用して、前記第１の側面部及び前記第２の側面部に取り付けられることを特徴とする拡張装置。
【発明の詳細な説明】
【技術分野】
【０００１】
本発明は、例えば３．５インチドライブ装置等の拡張装置を計算機のベイに収容するための取付部材と、取付部材を取り付けて計算機に収容する拡張装置に関する。
【背景技術】
【０００２】
例えばサーバ等の計算機の多くが、例えば３．５インチドライブ装置や、５インチドライブ装置を取り付ける為のベイを有している。ドライブ装置とは、例えばカセット磁気テープ装置等であり、計算機の機能を拡張するための役割を果たしている。
【０００３】
５インチドライブ装置に合わせて作られているＩＯベイに、３．５インチドライブ装置を収容したい場合がある。そこで、例えば特許文献１では、３．５インチドライブ装置に装着し、５インチドライブ装置用のＩＯベイに収容可能とするアダプタ・トレイが提案されている。
【０００４】
ところで一般に、３．５インチドライブ装置は、ねじにより、直接計算機のＩＯベイに取り付けられる。一方、５インチドライブ装置は一般に、両側面にねじで取り付けられる一対の取付可能なレールを取り付ける。これらのレールを、計算機のＩＯベイに取り付けられたレール受けガイドと嵌合させて、５インチドライブ装置は計算機に装着される。
【０００５】
【特許文献１】特開平３−１５０６１７号公報
【発明の開示】
【発明が解決しようとする課題】
【０００６】
特許文献１記載のアダプタ・トレイを用いても３．５インチドライブ装置を５インチドライブ装置のＩＯベイに収容することができるが、３．５インチドライブ装置の高さ寸法、奥行寸法の大きさによってはＩＯベイの高さ寸法、若しくは奥行寸法に余裕が無くなり、取り付けることが難しいことがある。
【０００７】
そこで本発明は、ドライブ装置の高さ寸法や奥行寸法に影響を与えることなく計算機のＩＯベイにドライブ装置を取り付けることができ、さらに、部材の共通化が可能な取付部材を提供することを目的とする。
【課題を解決するための手段】
【０００８】
上記目的を達成するために、本発明の取付部材は、計算機のベイに拡張装置を収容するための取付部材において、前記拡張装置の側面に取り付ける為に第１のねじ穴及び第２のねじ穴が形成された拡張装置側側面部と、前記拡張装置側側面部と対向する、第３のねじ穴及び第４のねじ穴が形成された計算機側側面部とを備え、前記拡張装置側側面部の奥行方向の一端部から前記第１のねじ穴までの距離は、前記拡張装置側側面部の奥行方向の他端部から前記第２のねじ穴までの距離に略一致し、前記拡張装置側側面部の高さ方向の端部から前記第１のねじ穴までの距離は、前記端部から前記第２のねじ穴までの距離に略一致し、前記計算機側側面部の奥行方向の一端部から前記第３のねじ穴までの距離は、前記計算機側側面部の奥行方向の他端部から前記第４のねじ穴までの距離に略一致し、前記計算機側側面部の高さ方向の端部から前記第３のねじ穴までの距離は、前記端部から前記第４のねじ穴までの距離に略一致することを特徴とする。
【０００９】
本発明の拡張装置は、取付部材を取り付けて計算機のベイに収容する拡張装置において、第１のねじ穴が形成された第１の側面部と、前記第１の側面部と対向する、第２のねじ穴が形成された第２の側面部とを備え、前記第１の側面部の先端部から前記第１のねじ穴までの距離は、前記第２の側面部の先端部から前記第２のねじ穴までの距離に略一致し、前記第１の側面部の下端部から前記第１のねじ穴までの距離は、前記第２の側面部の下端部から前記第２のねじ穴までの距離に略一致し、前記取付部材は、第３のねじ穴及び第４のねじ穴が形成された拡張装置側側面部と、前記拡張装置側側面部と対向する、第５のねじ穴及び第６のねじ穴が形成された計算機側側面部とを備え、前記拡張装置側側面部の奥行方向の一端部から前記第３のねじ穴までの距離は、前記拡張装置側側面部の奥行方向の他端部から前記第４のねじ穴までの距離に略一致し、前記拡張装置側側面部の高さ方向の端部から前記第３のねじ穴までの距離は、前記端部から前記第４のねじ穴までの距離に略一致し、前記計算機側側面部の奥行方向の一端部から前記第５のねじ穴までの距離は、前記計算機側側面部の奥行方向の他端部から前記第６のねじ穴までの距離に略一致し、前記計算機側側面部の高さ方向の端部から前記第５のねじ穴までの距離は、前記端部から前記第６のねじ穴までの距離に略一致し、前記拡張装置側側面部の第３のねじ穴及び第４のねじ穴の少なくとも一方を利用して、前記第１の側面部及び前記第２の側面部に取り付けられることを特徴とする。
【発明の効果】
【００１０】
本発明によれば、ドライブ装置の高さ寸法や奥行寸法に影響を与えることなく計算機のＩＯベイにドライブ装置を取り付けることができ、さらに、部材の共通化が可能な取付部材を提供することができる。
【発明を実施するための最良の形態】
【００１１】
以下、本発明の取付部材及び拡張装置の実施例について、図面を参照しながら説明する。
【実施例１】
【００１２】
図１は、本発明の実施例である取付部材を両側面に取り付けた３．５インチドライブ装置（拡張装置）の、計算機のＩＯベイへの取り付けを示す斜視図である。計算機３００には、５インチドライブ装置を収容するためのＩＯベイ３０１が設けられている。
【００１３】
取付部材１００が３．５インチドライブ装置２００の両側面に取り付けられており、５インチドライブ装置の幅と同一となっている。また、取付部材１００には、レール４００が取り付けられている。
【００１４】
レール４００を、５インチドライブ装置用ＩＯベイ３０１の両側面に設けられたレール受けガイド（図示せず）と嵌合するようにドライブ装置２００を挿入し（矢印Ａ方向）、３．５インチドライブ装置２００を計算機３００に装着する。
【００１５】
図２は、３．５インチドライブ装置２００の斜視図である。ドライブ装置２００は略直方体形状をしている。ドライブ装置２００は、大きく分けてベゼル２０１と、ドライブ本体２０２から構成される。
【００１６】
ドライブ本体２０２は、正面部２０３に設けられた媒体挿入口２０４から挿入されたテープなどの媒体を読み込む駆動装置である。正面部２０３と対向する背面部２０５に配置されるコネクタ（図示せず）から、計算機３００の制御部に接続され、データのやり取りを行う。
【００１７】
ベゼル２０１は、ドライブ本体２０２の正面部２０３側に装着される。ドライブ装置２００を計算機３００に収容させた後も外部に露出する部分であり、ドライブ装置２００のカバーの役割を果たす。
【００１８】
右側面部２０６には、ねじ穴２０７ａ、２０７ｂが空けられている。計算機に固定するときにねじ止めするための機構である。左側面部２０８は、右側面部２０６と対を成し、同様にねじ穴が空けられている（図示せず）。
【００１９】
正面部２０３には、媒体挿入口２０４が設けられ、ここから駆動装置で読み込むテープなどの記録媒体を挿入する。
背面部２０５には、計算機３００の制御部に接続するためのコネクタや、電源と接続するためのコネクタ等が配置されている（図示せず）。
３．５インチドライブ装置２００の右側面部２０６から左側面部２０８までの幅ｂは１０１．６ｍｍに、３．５インチドライブ装置２００の上面部２０９から底面部２１０までの高さｃは４１．２ｍｍに標準化が図られている。
【００２０】
図３は、３．５インチドライブ装置２００の右側面部２０６を示す側面図である。ドライブ装置２００の先端部２１１側にベゼル２０１が、後端部２１２側にドライブ本体２０２が配置され、両者は接合面部２１３で接している。先述の通り、右側面部２０６には、計算機に固定するときにねじ止めするためのねじ穴２０７ａ、２０７ｂが形成されている。
【００２１】
結合面部２１３からねじ穴２０７ａまでの距離ｄは２１ｍｍに、ねじ穴２０７ａからねじ穴２０７ｂまでの距離ｅは９０ｍｍに、下端部２１４からねじ穴２０７ａ、２０７ｂまでの距離ｆは５ｍｍに標準化が図られている。しかし、後端部２１２から接合面部２１３までの距離ｇ及びベゼル２０１の厚さに相当する先端部２１１から接合面部２１３までの距離ｈは標準化されていない。
【００２２】
図４は、取付部材１００の斜視図である。図４（ａ）において、上部がドライブ取付側側面部１０１である。一方、図４（ｂ）はドライブ取付側側面部１０１が底部となるように配置した図である。
【００２３】
取付部材１００は略直方体形状をしており、長手方向に配置されるドライブ取付側側面部１０１及びそれと対向するレール取付側側面部１０２、同じく長手方向に配置され、ドライブ取付側側面部１０１及びレール取付側側面部１０２と略垂直を成す上面部１０３及びそれと対向する底面部１０４、及び取付部材１００の短手方向の両面であり、ドライブ取付側側面部１０１、レール取付側側面部１０２、上面部１０３、及び底面部１０４と略垂直を成す先端面部１０５と、先端面部１０５と対向する後端面部１０６から形成されている。
【００２４】
また、ドライブ取付側側面部１０１、レール取付側側面部１０２、上面部１０３、及び底面部１０４の先端面部１０５側の一部と先端面部１０５によりベゼル相当部１０７ａが、ドライブ取付側側面部１０１、レール取付側側面部１０２、上面部１０３、及び底面部１０４の後端面部１０６側の一部と後端面部１０６によりベゼル相当部１０７ｂが形成されている。
【００２５】
以上のようにして取付部材１００の両端に設けられたベゼル相当部１０７ａ、１０７ｂは、ドライブ装置２００のベゼル２０１に応じて設けられる。そのため、ベゼル相当部１０７ａ、１０７ｂは、ベゼル２０１と同幅で同色に塗られている。また、格子状の開口部が先端面部１０５及び後端面部１０６にそれぞれ形成されている。
【００２６】
ドライブ取付側側面部１０１には、ドライブ取付用ねじ穴１０８ａ、１０８ｂが形成され、ドライブ装置２００のねじ穴２０７ａ、２０７ｂにねじ止めすることができる。
【００２７】
レール取付側側面部１０２には、レール４００を取り付ける為のレール取付用ねじ穴１０９ａ、１０９ｂ、１０９ｃ、１０９ｄ、１０９ｅ、１０９ｆ、１０９ｇ、１０９ｈが形成されている。さらに、ドライブ取付用ねじ穴１０８ａ、１０８ｂでねじ止めする際にドライバを通すための通し穴１１０ａ、１１０ｂが設けられている。
【００２８】
一般的に５インチドライブ装置は１３６ｍｍの、３．５インチドライブ装置は１０１．６ｍｍの幅を持つ。この差分を３．５インチドライブ装置の左右に装着する２つの取付部材１００で埋めるため、上面部１０３、底面部１０４、先端面部１０５、後端面部１０６のそれぞれ２辺の長さ、即ち取付部材１００の幅ｉは２２．２ｍｍに設定する。
【００２９】
図５は、取付部材１００のドライブ取付側側面部１０１を示した側面図である。ドライブ取付側側面部１０１には、ベゼル相当部１０７ａ、１０７ｂ、ドライブ取付用ねじ穴１０８ａ、１０８ｂが設けられている。
【００３０】
ベゼル相当部１０７ａ、１０７ｂは、それぞれ取付部材１００の先端部１１１側及び後端部１１２側に設けられている。先述の通り、ドライブ装置２００のベゼル２０１に合わせて設けられるので、ベゼル相当部１０７ａの厚さｊ及びベゼル相当部１０７ｂの厚さｋは、ドライブ装置２００のベゼル２０１の厚さｈと同一である。
【００３１】
ドライブ取付用ねじ穴１０８ａ、１０８ｂは、取付部材１００を３．５インチドライブ装置２００に取り付ける際に使用するねじ穴である。３．５インチドライブ装置２００に合わせ、ベゼル相当部１０７ａの右端からドライブ取付用ねじ穴１０８ａまでの距離ｌ及び、ベゼル相当部１０７ｂの左端からドライブ取付用ねじ穴１０８ｂまでの距離ｍは２１ｍｍに設定されている。同様にドライブ装置２００に合わせ、ドライブ取付用ねじ穴１０８ａからドライブ取付用ねじ穴１０８ｂまでの距離ｎは９０ｍｍに、取付部材１００の下端部１１３からドライブ取付用ねじ穴１０８ａ及びドライブ取付用ねじ穴１０８ｂまでの距離ｏは５ｍｍに設定され、取付部材１００の高さに相当する、取付部材１００の下端部１１３から取付部材１００の上端部１１４までの距離ｐは４１．２ｍｍに設定されている。
【００３２】
以上により、取付部材１００の先端部１１１からドライブ取付用ねじ穴１０８ａまでの距離ｑ及び後端部１１２からドライブ取付用ねじ穴１０８ｂまでの距離ｒは同一となり、先端部１１１からドライブ取付用ねじ穴１０８ｂまでの距離ｓ及び後端部１１２からドライブ取付用ねじ穴１０８ａまでの距離ｔは同一となる。
【００３３】
図６は、取付部材１００のレール取付側側面部１０２を示した側面図である。レール取付側側面部１０２には、レール取付用ねじ穴１０９ａ、１０９ｂ、１０９ｃ、１０９ｄ、１０９ｅ、１０９ｆ、１０９ｇ、１０９ｈ、通し穴１１０ａ、１１０ｂが形成されている。また、ベゼル相当部１０７ａ、１０７ｂを先端部１１５、後端部１１６に備えるのは、ドライブ側取付側面部１０１と同様である。
【００３４】
レール取付用ねじ穴１０９ａ、１０９ｂ、１０９ｃ、１０９ｄ、１０９ｅ、１０９ｆ、１０９ｇ、１０９ｈは、取付部材１００にレール４００を取り付ける為のねじ穴である。標準的な５インチドライブ装置に合わせ、ベゼル相当部１０７ｂの右端からレール取付用ねじ穴１０９ａ、１０９ｂまでの距離ｕと、ベゼル相当部１０７ａの左端からレール取付用ねじ穴１０９ｃ、１０９ｄまでの距離ｖは４７．５ｍｍに設定されている。同様に標準的な５インチドライブ装置に合わせ、レール取付用ねじ穴１０９ａからレール取付用ねじ穴１０９ｅまで、及びレール取付用ねじ穴１０９ｂからレール取付用ねじ穴１０９ｆまでの距離ｗと、レール取付用ねじ穴１０９ｃからレール取付用ねじ穴１０９ｇまで、及びレール取付用ねじ穴１０９ｄからレール取付用ねじ穴１０９ｈまでの距離ｘは７９．２ｍｍに、下端部１１７からレール取付用ねじ穴１０９ｂ、１０９ｄ、１０９ｆ、及び１０９ｈまでの距離ｙは９．９ｍｍに、下端部１１７からレール取付用ねじ穴１０９ａ、１０９ｃ、１０９ｅ、１０９ｇまでの距離ｚは２１．８ｍｍに設定される。
【００３５】
ベゼル相当部１０７ａ、１０７ｂの厚みｊ及びｋは先述の通り同一であるので、取付部材１００の後端部１１６からレール取付用ねじ穴１０９ａ、１０９ｂまでの距離と、取付部材１００の先端部１１５からレール取付用ねじ穴１０９ｃ、１０９ｄまでの距離が一致し、取付部材１００の後端部１１６からレール取付用ねじ穴１０９ｅ、１０９ｆまでの距離と、先端部１１５からレール取付用ねじ穴１０９ｇ、１０９ｈまでの距離が一致する。
【００３６】
通し穴１１０ａ、１１０ｂは、ドライブ取付側側面１０１に設けられたドライブ取付用ねじ穴１０８ａ、１０８ｂでねじ止めする際に、ドライバを通すために設けられた開口部である。通し穴１１０ａはドライブ取付用ねじ穴１０８ｂでねじ止めする際に、通し穴１１０ｂはドライブ取付用ねじ穴１０８ａでねじ止めする際にドライバを通す。
【００３７】
次に、３．５インチドライブ装置２００に取付部材１００を取り付け、計算機の５インチドライブ装置用ＩＯベイ３０１に装着する手順を説明する。
まず、ドライブ装置２００の両側面に取付部材１００を取り付ける。図７は、ドライブ装置２００の両側面への取付部材１００の取り付けを示す斜視図である。尚、ベゼル相当部１０７ａ、１０７ｂは簡略化して記載している。
【００３８】
ドライブ装置２００の右側面部２０６には、ねじ穴２０７ａ、２０７ｂが空けられている。取付部材１００には、ドライブ取付側側面部１０１に設けられたドライブ取付用ねじ穴１０８ａ、１０８ｂが空けられている。ねじ５０１ａは、ドライブ取付用ねじ穴１０８ｂ及びねじ穴２０７ａを、ねじ５０１ｂは、ドライブ取付用ねじ穴１０８ａ及びねじ穴２０７ｂを止める。この際、前者の場合にはレール取付側側面部１０２に設けられた通し穴１１０ａに、後者の場合には通し穴１１０ｂにドライバを通してねじ止めを行う。
【００３９】
左側面部２０８も同様の作業を行い、３．５インチドライブ装置２００の両側面に同一形状の取付部材１００を取り付ける。３．５インチドライブ装置２００の両側面に取付部材１００を取り付けると、３．５インチドライブ装置２００の幅ｂである１０１．６ｍｍに、取付部材１０の幅ｉである２２．２ｍｍの両側面分を合わせ、標準的な５インチドライブ装置の幅である１４６ｍｍと等しくなる。
【００４０】
続いて、取付部材１００にレールを取り付ける。図８は、ドライブ装置２００の右側面部２０６に装着した取付部材１００へのレール４００の取り付けを示す斜視図である。ベゼル相当部１０７ａ、１０７ｂは簡略化して示している。
【００４１】
レール４００は、５インチドライブ装置用ＩＯベイ３０１に取り付ける際に、ＩＯベイ３０１に取り付けられたレール受けガイドに嵌合させるための機構である。レール４００には、ねじ穴４０１ａ、４０１ｂ、４０１ｃ、４０１ｄが設けられている。ドライブ装置２００の右側面部２０６に装着した取付部材１００へ取り付ける際には、レール取付用ねじ穴１０９ａ、１０９ｂ、１０９ｅ、１０９ｆを使用する。レール取付用ねじ穴１０９ａとねじ穴４０１ａをねじ５０２ａで、レール取付用ねじ穴１０９ｂとねじ穴４０１ｂをねじ５０２ｂで、レール取付用ねじ穴１０９ｅとねじ穴４０１ｃをねじ５０２ｃで、レール取付用ねじ穴１０９ｆとねじ穴４０１ｄをねじ５０２ｄで止める。
【００４２】
ドライブ装置２００の左側面部２０８に装着した取付部材１００へレールを取り付ける際には、レール取付用ねじ穴１０９ｃ、１０９ｄ、１０９ｇ、１０９ｈを使用し、同様にレールを取付部材１００に取り付ければよい。
【００４３】
以上のようにしてレールが取り付けられた取付部材１００を両側面に装着したドライブ装置２００を、図１に示すように、計算機３００の５インチドライブ装置用のＩＯベイ３０１に挿入する。この際、レールをＩＯベイ３０１の両側面に設けられたレール受けガイド（図示せず）と嵌合するように挿入する（矢印Ａ方向）。
【００４４】
以上説明したように、本実施例によれば、３．５インチドライブ装置２００の両側面に取付部材１００を装着することにより、３．５インチドライブ装置２００を５インチドライブ装置用のＩＯベイ３０１に取り付けることができる。
【００４５】
ドライブ装置２００の両側面に取付部材１００を取り付けることで、上下左右方向の寸法には影響を与えずに、５インチドライブ装置用のＩＯベイ３０１に収容することができる。
【００４６】
ドライブ取付側側面部１０１に設けられたドライブ取付用ねじ穴１０８ａ、１０８ｂ、及びレール取付側側面部１０２に設けられたレール取付用ねじ穴１０９ａ、１０９ｂ、１０９ｃ、１０９ｄ、１０９ｅ、１０９ｆ、１０９ｇ、１０９ｈは左右対称に設けられているため、ドライブ装置２００の両側面に取り付ける取付部材１００は、１種類ですむ。左右両面で同じ取付部材を使用するので、左右を間違えて取り付けるリスクを抑制することができる。また、左右各々の取付部材を作成する場合よりも、左右の取付部材を共通化することで量産することができ、コストの低減を見込める。
【００４７】
ベゼル相当部１０７ａ、１０７ｂは、ドライブ装置２００のベゼル２０１と同色に塗られている。これにより、ドライブ装置２００に装着させたときの違和感が少ない。また、他に新たな部材を使用するわけではないので、部品点数を減らすことができる。取り付けた際に外部に露出する正面部２０３及び背面部２０５のみ等のベゼル相当部１０７ａ、１０７ｂの一部のみ、若しくはベゼル相当部１０７ａ、１０７ｂの範囲を超えて（例えば、取付部材１００全体に）色を塗っても良い。
【００４８】
取付部材１００の先端面部１０５及び後端面部１０６には、格子状の開口部が設けられており、計算機３００の冷却に貢献することができる。
ベゼル相当部１０７ａ、１０７ｂは、ベゼル２０１と同一の部材により形成しても良い。これにより、ドライブ装置２００に装着させたときの違和感をさらに抑制することが可能である。
【００４９】
ベゼル相当部１０７ａ、１０７ｂの厚さは、必ずしもドライブ装置２００のベゼル２０１と同一でなくともよい。また、ベゼル相当部１０７ａ、１０７ｂを色で塗りつぶしたり、他の部材を使用したりせずに、取付部材１００全体を一体的に形成しても良い。特に後者の場合には、塗りつぶしたり、他の部材を使用したりするコストを低減させることが可能である。
【図面の簡単な説明】
【００５０】
【図１】本発明の実施例１に係る取付部材を取り付けたドライブの計算機への挿入を示す斜視図。
【図２】３．５インチドライブ装置の例を示す斜視図。
【図３】３．５インチドライブ装置の右側面の例を示す斜視図。
【図４】本発明の実施例１に係る取付部材を示す斜視図。
【図５】本発明の実施例１に係る取付部材のドライブ取付側側面を示す側面図。
【図６】本発明の実施例１に係る取付部材のレール取付側側面を示す側面図。
【図７】本発明の実施例１に係る取付部材のドライブ装置両側面への取り付けを示す斜視図。
【図８】本発明の実施例１に係る、ドライブ装置の右側面に装着された取付部材へのレールの取り付けを示す斜視図。
【符号の説明】
【００５１】
１００・・・取付部材
１０１・・・ドライブ取付側側面部
１０２・・・レール取付側側面部
１０３・・・上面部
１０４・・・底面部
１０５・・・先端面部
１０６・・・後端面部
１０７ａ、１０７ｂ・・・ベゼル相当部
１０８ａ、１０８ｂ・・・ドライブ取付用ねじ穴
１０９ａ、１０９ｂ、１０９ｃ、１０９ｄ、１０９ｅ、１０９ｆ、１０９ｇ、１０９ｈ・・・レール取付用ねじ穴
１１０ａ、１１０ｂ・・・通し穴
１１１・・・先端部
１１２・・・後端部
１１３・・・下端部
１１４・・・上端部
１１５・・・先端部
１１６・・・後端部
１１７・・・下端部
２００・・・３．５インチドライブ装置
２０１・・・ベゼル
２０２・・・ドライブ本体
２０３・・・正面部
２０４・・・媒体挿入口
２０５・・・背面部
２０６・・・右側面部
２０７ａ、２０７ｂ・・・ねじ穴
２０８・・・左側面部
２０９・・・上面部
２１０・・・底面部
２１１・・・先端部
２１２・・・後端部
２１３・・・接合面部
２１４・・・下端部
３００・・・計算機
３０１・・・５インチドライブ装置用ＩＯベイ
４００・・・レール
４０１ａ、４０１ｂ、４０１ｃ、４０１ｄ・・・ねじ穴
５０１ａ、５０２ｂ・・・ねじ
５０２ａ、５０２ｂ、５０２ｃ、５０２ｄ・・・ねじ
【図１】
2006079210.tif 000003
【図２】
2006079210.tif 000004
【図３】
2006079210.tif 000005
【図４】
2006079210.tif 000006
【図５】
2006079210.tif 000007
【図６】
2006079210.tif 000008
【図７】
2006079210.tif 000009
【図８】
2006079210.tif 000010